(57)【要約】【課題】フォークリフト、芝刈り機等の車両を走行手段として利用し、人工芝等の人工的敷設物を切断する構成で、従来の数十倍の速度で人工的敷設物を確実に切断できる、作業性、経済性、及び確実性に非常に優れた、人工芝等の人工的敷設物の高速切断方法と高速切断装置、及びその治具を提供する。【解決手段】カッター装置２と、先端部が前記カッター装置２のカッター１２位置より前方へ延びて人工芝等の人工的敷設物４とその敷設面５との間へ潜り込み人工的敷設物４を敷設面５から浮き上がらせる先導アーム１１とを車両３のフォーク部１３で支持させ、当該車両３を前進走行させることにより、前記先導アーム１１で敷設面５から浮き上がらせた前記人工的敷設物４を前記カッター１２で切断する。【選択図】図１
2008285879.tif 000002
【特許請求の範囲】
【請求項１】
カッター装置と、先端部が前記カッター装置のカッター位置より前方へ延びて人工芝等の人工的敷設物とその敷設面との間へ潜り込み人工的敷設物を敷設面から浮き上がらせる先導アームとを車両の前部に設備し、当該車両を前進走行させることにより、前記先導アームで敷設面から浮き上がらせた前記人工的敷設物を前記カッターで切断することを特徴とする、人工芝等の人工的敷設物の高速切断方法。
【請求項２】
カッター装置と、先端部が前記カッター装置のカッター位置より前方へ延びて人工芝等の人工的敷設物とその敷設面との間へ潜り込み人工的敷設物を敷設面から浮き上がらせる先導アームとを車両のフォーク部で支持させ、当該車両を前進走行させることにより、前記先導アームで敷設面から浮き上がらせた前記人工的敷設物を前記カッターで切断することを特徴とする、人工芝等の人工的敷設物の高速切断方法。
【請求項３】
前記先導アームで敷設面から浮き上がらせた人工的敷設物の切断部分に水を供給して前記カッターで切断することを特徴とする、請求項１又は２に記載した人工芝等の人工的敷設物の高速切断方法。
【請求項４】
敷設面上に敷設した人工芝等の人工的敷設物を敷設面から浮き上がらせる先導アームと、前記先導アーム上へ浮き上がってきた前記人工的敷設物を切断するカッター装置と、前記先導アーム及びカッター装置を前部に設備した車両とで構成され、前記先導アームはその先端部がカッター装置のカッター位置より前方へ延びて前記人工的敷設物とその敷設面との間へ潜り込み当該人工的敷設物を敷設面から浮き上がらせる構成であり、前記カッター装置のカッターは前記先導アーム上に浮き上がってきた人工的敷設物を切断する構成であることを特徴とする、人工芝等の人工的敷設物の高速切断装置。
【請求項５】
前記先導アームは、高さ、及び前傾角度を調整可能な構成で車両に設けられていることを特徴とする、請求項４に記載した人工芝等の人工的敷設物の高速切断装置。
【請求項６】
敷設面上に敷設した人工芝等の人工的敷設物を敷設面から浮き上がらせる先導アームを備えた治具と、前記治具上に載置して、先導アーム上へ浮き上がってきた前記人工的敷設物を切断するカッター装置と、前記治具をフォーク部で支持し移動させる車両とで構成され、前記先導アームはその先端部がカッター装置のカッター位置より前方へ延びて前記人工的敷設物とその敷設面との間へ潜り込み当該人工的敷設物を敷設面から浮き上がらせる構成であり、前記カッター装置のカッターは前記先導アーム上に浮き上がってきた人工的敷設物を切断する構成であることを特徴とする、人工芝等の人工的敷設物の高速切断装置。
【請求項７】
前記治具は、先端部がカッター装置のカッター位置より前方へ延びて人工的敷設物と敷設面との間へ潜り込み人工的敷設物を敷設面から浮き上がらせる先導アームと、前記カッター装置を載置するカッター載置台と、及び車両のフォーク部を差し込むフォーク挿入部とを備えた構成であることを特徴とする、請求項６に記載した人工芝等の人工的敷設物の高速切断装置。
【請求項８】
前記車両又は治具には、前記先導アームで敷設面から浮き上がらせた人工的敷設物の切断部分に水を供給する水タンクが設けられていることを特徴とする、請求項４〜７のいずれか一に記載した人工芝等の人工的敷設物の高速切断装置。
【請求項９】
前記カッター装置のカッターは、前記先導アームの真上の位置に設けられていることを特徴とする、請求項４〜８のいずれか一に記載した人工芝等の人工的敷設物の高速切断装置。
【請求項１０】
先導アームには、カッター装置のカッターが臨む溝、又は凹部が設けられ、当該溝又は凹部にカッターが切断代相当の深さ差し込まれていることを特徴とする、請求項４〜９のいずれか一に記載した人工芝等の人工的敷設物の高速切断装置。
【請求項１１】
先導アームは、前記治具の下部に、ボルト等の接合手段で着脱可能に取り付けられていることを特徴とする、請求項６〜１０のいずれか一に記載した人工芝等の人工的敷設物の高速切断装置。
【請求項１２】
先導アームの先端部は、人工的敷設物と敷設面との間へ潜り込むのに適切な先細り形状、或いは楔形状に形成されていることを特徴とする、請求項４〜１１のいずれか一に記載した人工芝等の人工的敷設物の高速切断装置。
【請求項１３】
先導アームの先端部下面に、敷設面を転がるローラ、又は敷設面を滑る低摩擦板が設けられていることを特徴とする、請求項４〜１２のいずれか一に記載した人工芝等の人工的敷設物の高速切断装置。
【請求項１４】
カッター装置は、コンクリートカッター等の円盤カッターを備えた形式、或いはチェーンソー等の帯状カッターを備えた形式であることを特徴とする、請求項４〜１３のいずれか一に記載した人工芝等の人工的敷設物の高速切断装置。
【請求項１５】
カッター装置は、治具のカッター載置台に載せて、ターンバックル等の固定具により治具に固定されていることを特徴とする、請求項６〜１４のいずれか一に記載した人工芝等の人工的敷設物の高速切断装置。
【請求項１６】
カッター装置を載置する載置台と、先端部が前記カッター装置のカッター位置より前方へ延びて人工的敷設物と敷設面との間へ潜り込み人工的敷設物を敷設面から浮き上がらせる先導アームと、車両のフォーク部を後方から差し込むフォーク挿入部とを備えていることを特徴とする、人工芝等の人工的敷設物の高速切断装置用治具。
【発明の詳細な説明】
【技術分野】
【０００１】
この発明は、野球場や校庭などに敷設した人工芝、或いはカーペット等の人工的敷設物を、張り替えなどのために撤去する際に実施される人工的敷設物の切断方法、及び同方法に使用する切断装置並びに治具の技術分野に属し、更に言えば、フォークリフト、芝刈り機等の車両を走行手段として採用することにより前記人工的敷設物を高速切断することができ、作業性及び経済性に非常に優れた人工芝等の人工的敷設物の高速切断方法と高速切断装置、及びその治具に関する。
【背景技術】
【０００２】
人工芝は、天然芝と比してメンテナンスフリーで耐久性や美観に優れているという理由から、近年その需要が高く、野球場や校庭、フィールド競技場、球技コート等の各種運動競技場に多く使用されている。
しかし、人工芝は耐久性に優れているとはいえ、自然劣化や摩耗などによる損傷は避けられず、５年ないし１０年ぐらいの周期で張り替える必要がある。また、損傷していなくても、ドーム状施設等では各種運動競技やコンサートなどに応じて頻繁に人工芝を張り替える必要がある。
【０００３】
この人工芝の張り替え作業において、従来、最も手間と時間を要した作業が人工芝の切断作業である。従来は、作業者が所謂コンクリートカッターを操作して、人工芝を、撤去・回収作業に適した大きさに切断していた。
しかし、前記コンクリートカッターを用いた切断作業は、そもそもコンクリートカッターがコンクリートの切断に適する低速度の走行能力、たとえば毎分１〜２ｍ程度の速度でしか人工芝を切断できず、作業性が甚だ悪いという問題があった。また、人工芝を敷設したコンクリート床や板張り床その他の敷設面上の人工芝をコンクリートカッターで直接切断するので、その敷設面を損傷させるという問題があった。さらに、コンクリートカッターは敷設面上の人工芝を単純に切断するだけなので、つづいて敷設面へ接着等されている人工芝を引き剥がす作業の手掛かりに乏しく、撤去作業に難渋していた。
【０００４】
ところで、特許文献１には、人工芝を敷設状態で裁断（切断）するに際して、該人工芝の被裁断部分を床（敷設面）から浮かせた後、該浮上部分をカッターを用いて裁断する、人工芝の裁断方法が開示されている（同文献１の請求項１参照）。また、敷設状態の人工芝を若干持ち上げる機構と、円盤カッターと、カッティングしながら前進できる自走機構とを備え、かつ、これらの機構が駆動機構を有する本体の片側に備えられた人工芝の裁断装置が開示されている（同文献１の請求項５参照）。
この特許文献１に係る技術によると、敷設面から浮き上がらせた人工芝をカッターを用いて切断するので、人工芝の敷設面を損傷させるという問題は解消した。
【０００５】
【特許文献１】特開平７−１５８００９号公報
【発明の開示】
【発明が解決しようとする課題】
【０００６】
上記特許文献１に係る技術によると、下記する問題があった。
（１）同文献１の図１の記載から、自走機能は、コンクリートカッター等の市販の大型カッター装置と推認される。また、自走機構の後部上方に把持部を備えていることから、作業者が追従歩行しながら操縦することにより切断作業を行うものと認められる。そうすると、やはり毎分１〜２ｍ程度の速度でしか人工芝を切断できず、作業性が甚だ悪いという問題は残されたままである。その証左に、同文献１の段落[0013]の７〜８行目には、「２ｍ／ｍｉｎの速度で、約１ｍ角に切断した。」との記載が認められる。
（２）前記（１）の問題に伴い、野球場、フィールド競技場などに敷設した広大な人工芝を張り替える場合の工程が、人工芝の切断作業の進捗の遅さに左右されてしまい、切断作業に数日を要することも珍しくないという問題があった。その証左に、同文献１の段落[0013]の８〜９行目には、「カッティングはトータル長さ約１，０００ｍで、２日かけて実施した」との記載が認められる。
（３）次に、同文献１の技術は、カッター装置に、人工芝持ち上げ機構２を精度良く強固に固定しなければならないので、切断作業の度にいちいちカッター装置に人工芝持ち上げ機構２を確実に取り付ける加工を施す必要があり、この作業が煩わしく、コストも嵩むという問題があった。
（４）さらに、同文献１の装置は、人工芝持ち上げ機構２の先端が、自走機構の前輪３より後方に位置する（同文献１の図１参照）ので、云わば車輪３で押さえつけた近傍の人工芝を人工芝持ち上げ機構２で敷設面から無理矢理引き剥がす不合理な作業を強いる構成であるため、前進走行時の抵抗が大きく、高速切断作業を困難にしているという問題があった。
【０００７】
本発明の目的は、フォークリフト、芝刈り機等の車両を走行手段として利用し、人工芝等の人工的敷設物を切断する構成で、しかも前記人工的敷設物は先導アームで浮き上がらせて切断する方式とすることにより、従来の数十倍の速度で人工的敷設物を確実に切断でき、切断した人工的敷設物は敷設面から引き剥がす作業に必要十分な手掛かりを与えることにより、作業性、経済性、及び確実性に非常に優れた、人工芝等の人工的敷設物の高速切断方法と高速切断装置、及びその治具を提供することにある。
【課題を解決するための手段】
【０００８】
上記背景技術の課題を解決するための手段として、請求項１に記載した発明に係る人工芝等の人工的敷設物の高速切断方法は、カッター装置と、先端部が前記カッター装置のカッター位置より前方へ延びて人工芝等の人工的敷設物とその敷設面との間へ潜り込み人工的敷設物を敷設面から浮き上がらせる先導アームとを車両の前部に設備し、当該車両を前進走行させることにより、前記先導アームで敷設面から浮き上がらせた前記人工的敷設物を前記カッターで切断することを特徴とする。
【０００９】
請求項２に記載した発明に係る人工芝等の人工的敷設物の高速切断方法は、カッター装置と、先端部が前記カッター装置のカッター位置より前方へ延びて人工芝等の人工的敷設物とその敷設面との間へ潜り込み人工的敷設物を敷設面から浮き上がらせる先導アームとを車両のフォーク部で支持させ、当該車両を前進走行させることにより、前記先導アームで敷設面から浮き上がらせた前記人工的敷設物を前記カッターで切断することを特徴とする。
【００１０】
請求項３に記載した発明は、請求項１又は２に記載した人工芝等の人工的敷設物の高速切断方法において、前記先導アームで敷設面から浮き上がらせた人工的敷設物の切断部分に水を供給して前記カッターで切断することを特徴とする。
【００１１】
請求項４に記載した発明に係る人工芝等の人工的敷設物の高速切断装置は、敷設面上に敷設した人工芝等の人工的敷設物を敷設面から浮き上がらせる先導アームと、前記先導アーム上へ浮き上がってきた前記人工的敷設物を切断するカッター装置と、前記先導アーム及びカッター装置を前部に設備した車両とで構成され、前記先導アームはその先端部がカッター装置のカッター位置より前方へ延びて前記人工的敷設物とその敷設面との間へ潜り込み当該人工的敷設物を敷設面から浮き上がらせる構成であり、前記カッター装置のカッターは前記先導アーム上に浮き上がってきた人工的敷設物を切断する構成であることを特徴とする。
【００１２】
請求項５に記載した発明は、請求項４に記載した人工芝等の人工的敷設物の高速切断装置において、前記先導アームは、高さ、及び前傾角度を調整可能な構成で車両に設けられていることを特徴とする。
【００１３】
請求項６に記載した発明に係る人工芝等の人工的敷設物の高速切断装置は、敷設面上に敷設した人工芝等の人工的敷設物を敷設面から浮き上がらせる先導アームを備えた治具と、前記治具上に載置して、先導アーム上へ浮き上がってきた前記人工的敷設物を切断するカッター装置と、前記治具をフォーク部で支持し移動させる車両とで構成され、前記先導アームはその先端部がカッター装置のカッター位置より前方へ延びて前記人工的敷設物とその敷設面との間へ潜り込み当該人工的敷設物を敷設面から浮き上がらせる構成であり、前記カッター装置のカッターは前記先導アーム上に浮き上がってきた人工的敷設物を切断する構成であることを特徴とする。
【００１４】
請求項７に記載した発明は、請求項６に記載した人工芝等の人工的敷設物の高速切断装置において、前記治具は、先端部がカッター装置のカッター位置より前方へ延びて人工的敷設物と敷設面との間へ潜り込み人工的敷設物を敷設面から浮き上がらせる先導アームと、前記カッター装置を載置するカッター載置台と、及び車両のフォーク部を差し込むフォーク挿入部とを備えた構成であることを特徴とする。
【００１５】
請求項８に記載した発明は、請求項４〜７のいずれか一に記載した人工芝等の人工的敷設物の高速切断装置において、前記車両又は治具には、前記先導アームで敷設面から浮き上がらせた人工的敷設物の切断部分に水を供給する水タンクが設けられていることを特徴とする。
【００１６】
請求項９に記載した発明は、請求項４〜８のいずれか一に記載した人工芝等の人工的敷設物の高速切断装置において、前記カッター装置のカッターは、前記先導アームの真上の位置に設けられていることを特徴とする。
【００１７】
請求項１０に記載した発明は、請求項４〜９のいずれか一に記載した人工芝等の人工的敷設物の高速切断装置において、先導アームには、カッター装置のカッターが臨む溝、又は凹部が設けられ、当該溝又は凹部にカッターが切断代相当の深さ差し込まれていることを特徴とする。
【００１８】
請求項１１に記載した発明は、請求項６〜１０のいずれか一に記載した人工芝等の人工的敷設物の高速切断装置において、先導アームは、前記治具の下部に、ボルト等の接合手段で着脱可能に取り付けられていることを特徴とする。
【００１９】
請求項１２に記載した発明は、請求項４〜１１のいずれか一に記載した人工芝等の人工的敷設物の高速切断装置において、先導アームの先端部は、人工的敷設物と敷設面との間へ潜り込むのに適切な先細り形状、或いは楔形状に形成されていることを特徴とする。
【００２０】
請求項１３に記載した発明は、請求項４〜１２のいずれか一に記載した人工芝等の人工的敷設物の高速切断装置において、先導アームの先端部下面に、敷設面を転がるローラ、又は敷設面を滑る低摩擦板が設けられていることを特徴とする。
【００２１】
請求項１４に記載した発明は、請求項４〜１３のいずれか一に記載した人工芝等の人工的敷設物の高速切断装置において、カッター装置は、コンクリートカッター等の円盤カッターを備えた形式、或いはチェーンソー等の帯状カッターを備えた形式であることを特徴とする。
【００２２】
請求項１５に記載した発明は、請求項６〜１４のいずれか一に記載した人工芝等の人工的敷設物の高速切断装置において、カッター装置は、治具のカッター載置台に載せて、ターンバックル等の固定具により治具に固定されていることを特徴とする。
【００２３】
請求項１６に記載した発明に係る人工芝等の人工的敷設物の高速切断装置用治具は、カッター装置を載置する載置台と、先端部が前記カッター装置のカッター位置より前方へ延びて人工的敷設物と敷設面との間へ潜り込み人工的敷設物を敷設面から浮き上がらせる先導アームと、車両のフォーク部を後方から差し込むフォーク挿入部とを備えていることを特徴とする。
【発明の効果】
【００２４】
請求項１〜３に記載した人工芝等の人工的敷設物の高速切断方法、及び請求項４〜１５に記載した人工芝等の人工的敷設物の高速切断装置、並びに請求項１６に記載した人工芝等の人工的敷設物の高速切断装置用治具によれば、下記する効果を奏する。
（Ｉ）車両（一例として、フォークリフト）の高速走行速度、例えば８ｋｍ／時（約１３３ｍ／分）に応じて、先導アームにより敷設面から浮きあがらせた人工的敷設物（人工芝）を高速切断することができるので、切断作業に要する時間を飛躍的に短縮することができる。よって、人工的敷設物（人工芝）の撤去や張り替えの作業性及び経済性に非常に優れている。
（II）車両（フォークリフト）の操縦により、進行方向及び走行速度を自在に楽に操作できるので作業者の労力を軽減できる。
（III）先導アームで敷設面から浮き上がらせた人工芝等の人工的敷設物をカッターで切断するので、人工的敷設物の敷設面を損傷させる虞がない。
（IV）機構的に、人工芝等の人工的敷設物と敷設面との間へ潜り込み人工的敷設物を浮き上がらせる先導アームの働きを制約する何物も存在せず、先導アームは常に先行して人工的敷設物を浮き上がらせるので、効率的、且つ合理的な引き剥がし作業、および切断作業を進められる。
（Ｖ）その他、請求項２及び請求項６記載の発明によれば、専用治具を用いることにより、市販のカッター装置、及び車両（フォークリフト）をそのまま利用して実施できるので、経済的、且つ合理的である。
【発明を実施するための最良の形態】
【００２５】
請求項１に記載した発明に係る人工芝等の人工的敷設物の高速切断方法は、下記する実施例２に係る図５に示したように、カッター装置１９と、先端部が前記カッター装置１９のカッター１２位置より前方へ延びて人工芝等の人工的敷設物４とその敷設面５との間へ潜り込み人工的敷設物４を敷設面５から浮き上がらせる先導アーム１１とを車両２０の前部に設備し、当該車両２０を前進走行させることにより、前記先導アーム１１で敷設面５から浮き上がらせた前記人工的敷設物４を前記カッター１２で切断することを特徴とする。
請求項２に記載した発明に係る人工芝等の人工的敷設物の高速切断方法は、下記する実施例１に係る図１〜図４に示したように、カッター装置２と、先端部が前記カッター装置２のカッター１２位置より前方へ延びて人工芝等の人工的敷設物４とその敷設面５との間へ潜り込み人工的敷設物４を敷設面５から浮き上がらせる先導アーム１１とを車両３のフォーク部１３で支持させ、当該車両３を前進走行させることにより、前記先導アーム１１で敷設面５から浮き上がらせた前記人工的敷設物４を前記カッター１２で切断することを特徴とする。
【実施例１】
【００２６】
図１と図２は、前記請求項２に係る人工芝等の人工的敷設物の高速切断方法に使用する高速切断装置を示している。この人工芝等の人工的敷設物の高速切断装置は、敷設面５上に敷設した人工芝等の人工的敷設物４を敷設面５から浮き上がらせる先導アーム１１を備えた治具１と、前記治具１上に載置して、先導アーム１１上へ浮き上がってきた前記人工的敷設物４を切断するカッター装置２と、前記治具１をフォーク部１３で支持し移動させる車両３とで構成され、前記先導アーム１１はその先端部がカッター装置２のカッター１２位置より前方へ延びて前記人工的敷設物４とその敷設面５との間へ潜り込み当該人工的敷設物４を敷設面５から浮き上がらせる構成であり、前記カッター装置２のカッター１２は前記先導アーム１１上に浮き上がってきた人工的敷設物４を切断する構成で実施されている（請求項６記載の発明）。
【００２７】
この実施例１に係る人工的敷設物４は、人工芝（ロングパイル人工芝、砂入り人工芝を含む。以下同じ。）４で実施しているが、広大に敷設したカーペット、ブルーシートなど、コンクリート床や板張り床その他の敷設面５上に敷設（置き敷き）され、経時的に張り替える必要がある切断可能な敷設物であれば特に限定されるものではない。ちなみに、本実施例１に係る人工芝４は、一般的に使用される大きさの人工芝４を整列させ、隣接する人工芝４、４同士の継ぎ目部分を、当接する敷設面５に接着して敷設している。以下の実施例２についても同様の技術的思想とする。
また、本実施例１に係る車両３は、フォークリフト３で実施しているがこれに限定されず、フォーク部を装着したトラクターやティラー（耕運機）、或いはバケットをフォーク部に付け替えたタイヤショベル等、要するにフォーク部を装着可能な車両であればフォークリフトと同様な実施が可能である。
【００２８】
前記治具１は、図３にも示したように、先端部がカッター装置２のカッター１２位置より前方へ延びて人工芝（人工的敷設物）４と敷設面５との間へ潜り込み人工芝４を敷設面５から浮き上がらせる先導アーム１１と、カッター装置２を載置するカッター載置台６と、及びフォークリフト（車両）３のフォーク１３部を差し込むフォーク挿入部７とを備えた構成で実施されている（請求項７、請求項１６記載の発明）。
【００２９】
前記治具１の先導アーム１１は、鋼材を細長状に成形してなり、その先端部は、人工芝４と敷設面５との間へ潜り込むのに適切な先細り形状（又は楔形状）に形成して実施している（請求項１２記載の発明）。ちなみに、本実施例１に係る先導アーム１１の先端部は、刀の刃先のように下端縁に向かって先細り形状に形成し、その先端部の下面に敷設面５上をスムーズに滑るのに好適な低摩擦板１１ａが設けられている。
なお、前記先導アーム１１の先端部には、前記低摩擦板１１ａの代わりに、敷設面５上を転がるローラ（図示省略）を設けて実施することもできる（請求項１３記載の発明）。また、前記敷設面５を摩擦抵抗が少ない部材で実施している場合には、前記先導アーム１１の先端部に、前記低摩擦板１１ａやローラを取り付けないで実施することも勿論できる。
【００３０】
前記治具１のカッター載置台６は、主として、フォークリフト３のフォーク（つめ）部１３を差し込むフォーク挿入部（開口部）７を備えた中空の直方体形状の鋼製部材６ａと、カッター装置２の車輪８を収容する外周縁部を立ち上げた方形状の鋼製部材６ｂとから成り、前記鋼製部材６ａの後部上面に、前記鋼製部材６ｂを溶接等の接合手段で固定した構成で実施されている。
前記直方体形状の鋼製部材６ａは、カッター装置２を固定するターンバックル等の固定具１０を支持する留め具１５を、その前方部と後方部の左右２箇所に溶接等の接合手段で固定した構成で実施している。
前記方形状の鋼製部材６ｂは、カッター装置の車輪８を位置決めするための立ち上がり部１６を、その後方の左右コーナー部に、やはり溶接等の接合手段で固定した構成で実施している。また、当該鋼製部材６ｂの一側端部（図示例では進行方向右側端部）の下面には支持脚９が溶接等の接合手段で設けられ、当該支持脚９の下部には、前記先導アーム１１が、前記鋼製部材６ａの前部より前方に十分に長く突き出る構成で溶接等の接合手段で固定されている。
【００３１】
ここで、前記支持脚９の形状は、図示例のように、前記先導アーム１１に設けた細長い溝１１ｂの幅寸と同程度の細い幅寸で実施することが切断作業上好ましい。敷設面５から浮き上がらせた人工芝４を、カッター１２で切断した後に支持脚９の前部に衝突して止まることなくスムーズに敷設面５上に落下させるためである。本実施例１ではさらに、前記切断した人工芝をよりスムーズに二分して敷設面５上に落下させるべく、前記支持脚９の前部を、中央部を尖らせた突起状に形成して実施している。
【００３２】
ちなみに、図中の符号１７は、ねじ切りボルトを示しており、前記鋼製部材６ａの一側（図示例では左側）の側面に所要の間隔をあけて設けたねじ孔（図示省略）に当該ねじ切りボルト１７をねじ込むことにより、前記鋼製部材６ａのフォーク挿入部７に挿入した前記フォーク１３を側面から押圧して固定（抜け止め）する構成で実施している。
なお、前記鋼製部材６ａ、６ｂから成るカッター載置台６の構成は、上述した構成に限定されず、前記カッター装置２を安定した状態で載置可能で、且つフォークリフト３のフォーク部１３で支持され得るのに好適な形状と剛性を有していればよい。
【００３３】
前記カッター装置２は、本実施例１では、市販の所謂コンクリートカッター装置２を用いており、型式は特に限定されない。このカッター装置２は、前記フォークリフト３で持ち上げて前記治具１のカッター載置台６上に載せ、前記ターンバックル等の固定具１０の両端部を、前記カッター装置２に設けたコ字形状の係止部１８と前記留め具１５に掛け止める構成で、前記治具１上にしっかり固定することができる（請求項１５記載の発明）。
【００３４】
また、前記カッター装置２は、効率的、且つ合理的に人工芝を切断するべく、前記治具１上に載置した際に、そのカッター１２の位置が、前記先導アーム１１の真上に位置する構成で実施している（図２参照、請求項９記載の発明）。具体的に、本実施例１では、前記先導アーム１１の長手方向に、カッター装置２のカッター１２が臨む細長い溝１１ｂ（又は凹部）が設けられ、当該溝１１ｂ（又は凹部）にカッター１２が切断代相当の深さ差し込まれる構成で実施されている（請求項１０記載の発明）。ちなみに、本実施例１では、前記カッター装置２のカッター１２の刃先の下方部分が、前記先導アーム１１の溝１１ｂ内に収まる構成で実施している。
【００３５】
このような構成で実施することにより、前記先導アーム１１により敷設面５から浮き上がった人工芝４は、同先導アーム１１上に載り上げて前記カッター１２へと誘導されて当該カッター１２により切断されるのである。さらに、前記カッター１２により切断された人工芝４は、中央部を尖らせた突起状に形成した前記支持脚９によりスムーズに二分されて敷設面５上に落下するのである。
【００３６】
なお、本実施例１に係る前記先導アーム１１は、前記治具１に対して進行方向右側に設けて実施しているがこれに限定されず、使用するカッター装置２のカッター１２位置に応じて適宜設計変更可能である。例えば、図示は省略するが、チェーンソー等の帯状カッターを治具１のカッター載置台６に設けて実施する場合には、前記治具１の中央部に設けて実施することもできる。
また、図示は省略するが、前記カッター１２の消耗を極力抑制するべく、前記人工芝４の切断部分に水を供給してカッター１２で切断する作業を行うこともできる（請求項３記載の発明）。この場合、前記治具１又はフォークリフト３に、前記人工芝４の切断部分に水を供給する構成の水タンクを設けて実施する（請求項８記載の発明）。
【００３７】
かくして、上述した構成の人工芝４の高速切断装置は、先導アーム１１を備えた治具１上に、カッター装置２を、同先導アーム１１の真上にカッター１２が位置する構成でしっかり固定することができる。また、前記カッター装置２を載置した治具１を、そのフォーク挿入部７に後方からフォーク１３を差し込んだフォークリフト３により、安定した状態で支持して前進走行させることができるのである。
【００３８】
したがって、前記高速切断装置を使用して行う人工芝の高速切断方法は、先ず、前記カッター装置２を載置した治具１をフォークリフト３のフォーク１３で支持し、当該治具１をフォークリフト３の昇降機１４により切断作業に好適な高さ（地上から１ｃｍ程度）に持ち上げて支持する。そして、切断しようとする人工芝４にナイフ等で切れ目を入れ、前記先導アーム１１を前記切れ目に誘導してその先端部を人工芝４とその敷設面５との間へ潜り込ませて前記フォークリフト３を前進走行させる。そうすると、図４に示したように、前記先導アーム１１は、その先端部の低摩擦板１１ａによりスムーズに敷設面５上を潜行（前進）することができ、これに伴い敷設面５から浮き上がった人工芝４は、前記先導アーム１１上に載り上げて当該先導アーム１１の真上の位置に位置決め固定されたカッター１２へ案内され、当該カッター１２で切断される。切断された人工芝４は、前記支持脚９によりスムーズに二分されて敷設面５上に落下し、これにより、人工芝４の連続的な切断作業を行うことができる。
【００３９】
かくして、前記先導アーム１１は、前記フォークリフト３の高速走行速度に応じて人工芝４と敷設面５との間を高速で潜行することができ、先導アーム１により敷設面５から浮き上がった人工芝４は後続のカッター装置２のカッター１２で切断するので、フォークリフト３の高速走行速度に応じた高速切断が可能となるのである。ちなみに、本出願人は、前記治具１を支持したフォークリフト３を、８ｋｍ／時（約１３３ｍ／分）の高速度で走行させて、良好な高速切断作業が遂行できることを確認している。
【００４０】
上記構成の高速切断方法及び高速切断装置によれば、上記特許文献１に係る切断方法と比して、フォークリフト３の高速走行速度に応じて数十倍（約１３３ｍ／分で切断作業を行えば、６６．５倍）の高速度で人工芝４の高速切断作業を行うことができるので、切断作業に要する時間を飛躍的に短縮することができる。よって、人工芝４の撤去や張り替えの作業性及び経済性に非常に優れている。また、フォークリフト３の操縦により、進行方向及び走行速度を自在に楽に操作できるので作業者の労力を軽減できる。
先導アーム１１で敷設面５から浮き上がらせた人工芝４を切断するので、人工芝４の敷設面５を損傷させる虞がない。
機構的に人工芝４と敷設面５の間へ潜り込み人工芝４を浮き上がらせる先導アーム１１の働きを制約する何物も存在せず、先導アーム１１は常に先行して人工芝４を浮き上がらせるので、効率的、且つ合理的な引き剥がし作業、および切断作業を進められる。
その他、高速切断作業専用の治具１を用いることにより、市販のカッター装置２、及びフォークリフト３をそのまま利用して実施できるので、経済的、且つ合理的である。
【００４１】
なお、本実施例１に係る先導アーム１１は、前記カッター１２と同様に経時的に最も消耗する部材と考えられるので、前記治具１の下部（本実施例では、鋼製部材６ｂの下部に設けた支持脚９）に、ボルト等の接合手段で着脱可能に取り付けることにより、容易に取り替え可能な構成で実施することもできる（請求項１１記載の発明）。また、本実施例１に係るカッター装置２は、所謂ダイヤモンドカッター等の円盤カッターを備えた装置で実施しているがこれに限定されず、チェーンソー等の帯状カッターで実施することもできる（請求項１４記載の発明）。その他、前記治具１に設けたフォーク挿入部７の形状及び大きさは勿論図示例に限定されず、個々のフォーク１３が挿入し得るだけの形状及び大きさで実施することもできる。また、前記フォーク挿入部７に挿入したフォーク１３の抜け止め手段として、ねじ切りボルト１７を使用しているがこれに限定されないことは勿論である。
【実施例２】
【００４２】
図５は、前記請求項１に係る人工芝等の人工的敷設物の高速切断方法に使用する高速切断装置を示している。なお、人工的敷設物（人工芝）、先導アーム、或いはカッターなど、上記実施例１で説明した部材と共通する部材については同一の符号を付してその説明を適宜省略する。
この人工芝等の人工的敷設物の高速切断装置は、敷設面５上に敷設した人工芝等の人工的敷設物４を敷設面５から浮き上がらせる先導アーム１１と、前記先導アーム１１上へ浮き上がってきた前記人工的敷設物４を切断するカッター装置１９と、前記先導アーム１１及びカッター装置１９を前部に設備した車両２０とで構成され、前記先導アーム１１はその先端部がカッター装置１９のカッター１２位置より前方へ延びて前記人工的敷設物４とその敷設面５との間へ潜り込み当該人工的敷設物４を敷設面５から浮き上がらせる構成であり、前記カッター装置１９のカッター１２は前記先導アーム１１上に浮き上がってきた人工的敷設物４を切断する構成で実施されている（請求項４記載の発明）。
【００４３】
すなわち、この実施例２に係る高速切断装置は、上記実施例１に係る高速切断装置と比して、主として、専用治具１、及び市販の所謂コンクリートカッター装置２を用いることなく、芝刈り機等の車両２０の前部を改造して先導アーム１１と簡易なカッター装置１９を設備して実施することのみ相違する。
なお、前記車両２０は、芝刈り機に限定されるものではなく、トラクターやティラー（耕運機）、或いはタイヤショベル等、その前部に先導アーム１１と簡易なカッター装置１９を設備可能な車両であれば同様に実施できる。
【００４４】
前記先導アーム２１は、その後方の上部に溶接等の接合手段で設けた前後２つの支持脚２５、２５を前記車両２０の構成部材（図示例では平板プレート）２１へハンドル型昇降手段２２、２２を介してそれぞれ取り付けることにより、高さ及び前傾角度を調整可能な構成で、車両２０に着脱自在に設けられている（請求項５記載の発明）。
なお、図示例では、支持脚２５を前後に２つ設けて実施しているが、前記先導アーム１１に生じる回転モーメントに十分に耐えうる構造であれば、１つでも実施可能である。また、前記支持脚２５の形状は、前記実施例１で説明したように、前記カッター１２で切断した人工芝４がその前部に衝突して止まることなくスムーズに敷設面５上に落下させるべく、人工芝４が衝突する側の支持脚２５の前部を、中央部を尖らせた突起状に形成するなどの工夫が施されている。
ちなみに、図中の符号２６は、前記平板プレート２１の下面に固定され、前記支持脚２５の水平方向へのずり動きを防止するためのホルダーを示している。
【００４５】
前記カッター装置１９は、エンジン２７からの動力伝達にてカッター１２が回転駆動するように構成され、前記先導アーム１１に設けた溝１１ｂに、前記カッター１２が切断代相当の深さ差し込まれる構成で実施している（具体的に、前記先導アーム１１とカッター１２との取り合いは、上記実施例１に係る段落[0034]を参照）。
このような構成で実施することにより、上記実施例１と同様に、前記先導アーム１１により敷設面５から浮き上がった人工芝４は、同先導アーム１１上に載り上げて前記カッター１２へと誘導されて当該カッター１２により切断されるのである。さらに、前記カッター１２により切断された人工芝４は、走行方向前側に設けた支持脚２５によりスムーズに二分されて敷設面５上に落下するのである。
【００４６】
また、図示例では、前記カッター１２の消耗を極力抑制するべく、前記車両２０の平板プレート２１上に水タンク２３を設け、前記人工芝４の切断部分に水を供給しながらカッター１２で切断する作業を行っている（請求項３、請求項８記載の発明）。ちなみに、図中の符号２４は、給水管を示している。
【００４７】
したがって、前記高速切断装置を使用して行う人工芝の高速切断方法は、先ず、前記ハンドル型昇降手段２２、２２により、前記先導アーム１１を切断作業に好適な高さ（地上から１ｃｍ程度）、及び前傾角度に位置決めする。そして、切断しようとする人工芝４にナイフ等で切れ目を入れ、前記先導アーム１１を前記切れ目に誘導してその先端部を人工芝４とその敷設面５との間へ潜り込ませて前記車両２０を前進走行させる。そうすると、実施例１に係る図４に示したように、前記先導アーム１１は、その先端部の低摩擦板１１ａによりスムーズに敷設面５上を潜行（前進）することができ、これに伴い敷設面５から浮き上がった人工芝４は、前記先導アーム１１上に載り上げて当該先導アーム１１の真上の位置に位置決め固定されたカッター１２へ案内され、当該カッター１２で切断される。切断された人工芝４は、走行方向前側の支持脚２５によりスムーズに二分されて敷設面５上に落下し、これにより、人工芝４の連続的な切断作業を行うことができる。
【００４８】
かくして、前記先導アーム１１は、前記車両２０の高速走行速度に応じて人工芝４と敷設面５との間を高速で潜行することができ、先導アーム１により敷設面５から浮き上がった人工芝４は後続のカッター装置１９のカッター１２で切断するので、車両２０の高速走行速度に応じた高速切断が可能となるのである。ちなみに、本出願人は、前記車両を、４ｋｍ／時（約６６．６ｍ／分）の高速度で走行させて、良好な高速切断作業が遂行できることを確認している。
【００４９】
上記構成の高速切断方法及び高速切断装置によれば、上記特許文献１に係る切断方法と比して、車両２０の高速走行速度に応じて数十倍（約６６．６ｍ／分で切断作業を行えば、約３３倍）の高速度で人工芝４の高速切断作業を行うことができるので、切断作業に要する時間を飛躍的に短縮することができる。また、前記車両２０を、作業者が追従歩行するタイプの芝刈り機ではなく、有人タイプのトラクターやティラー等を利用して実施する場合には、上記実施例１と同程度の高速切断が可能となる。よって、人工芝４の撤去や張り替えの作業性及び経済性に非常に優れている。また、車両２０の操縦により、進行方向及び走行速度を自在に楽に操作できるので作業者の労力を軽減できる。
先導アーム１１で敷設面５から浮き上がらせた人工芝４を切断するので、人工芝４の敷設面５を損傷させる虞がない。
機構的に人工芝４と敷設面５の間へ潜り込み人工芝４を浮き上がらせる先導アーム１１の働きを制約する何物も存在せず、先導アーム１１は常に先行して人工芝４を浮き上がらせるので、効率的、且つ合理的な引き剥がし作業、および切断作業を進められる。
【００５０】
以上に実施例１及び実施例２を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【図面の簡単な説明】
【００５１】
【図１】実施例１に係る人工芝の高速切断装置の全体図を示している。
【図２】図１に係る人工芝の高速切断装置の枢要部を示している。
【図３】図２の分解斜視図を示している。
【図４】実施例１に係る人工芝の高速切断装置を用いて敷設面から浮き上がった人工芝を切断する作業工程を示している。
【図５】実施例２に係る人工芝の高速切断装置の全体図を示している。
【符号の説明】
【００５２】
１    治具
２    カッター装置
３    フォークリフト
３ａ  車輪
４    人工芝
５    敷設面
６    カッター載置台
６ａ  鋼製部材
６ｂ  鋼製部材
７    フォーク挿入部
８    車輪
９    支持脚
１０    ターンバックル（固定具）
１１    先導アーム
１１ａ  低摩擦板
１１ｂ  溝
１２    カッター
１３    フォーク
１４    昇降機
１５    留め具
１６    立ち上がり部
１７    ねじ切りボルト
１８    係止部
１９    カッター装置
２０    車両
２１    鋼材
２２    ハンドル型昇降手段
２３    水タンク
２４    給水管
２５    支持脚
２６    ホルダー
２７    エンジン
【図１】
2008285879.tif 000003
【図２】
2008285879.tif 000004
【図３】
2008285879.tif 000005
【図４】
2008285879.tif 000006
【図５】
2008285879.tif 000007